(57)【特許請求の範囲】
【請求項１】
脱臭用炭材を収容した板状のケースに、該ケースを冷蔵庫内の側面壁または上面壁に付着させる吸盤または可撓粘着性の接着部材からなる固定具を取り付けたものにおいて、
上記板状のケースは、少なくともその表面側及び上記固定具を取り付ける裏面側の取付面を多孔に形成し、
上記ケースの取付面に設ける多孔を、固定具としてのゴム弾性材からなる吸盤の脚部を嵌着できる孔によって形成すると共に、それらの孔の間に上記可撓粘着性の接着部材を接着する接着面を形成し、
上記固定具には、上記ケースの取付面と冷蔵庫内の取付壁面との間に通気用間隙を形成するスペーサとしての機能を兼備させ、
上記ケースの取付面における多孔中の任意の孔に脚部を選択的に嵌着する吸盤、あるいは上記取付面における適宜位置に接着する接着部材からなる固定具の複数によって、上記ケースを冷蔵庫内の壁面へ取り付け可能にしている、
ことを特徴とする冷蔵庫用脱臭用具。
【請求項２】
上記多孔のケースが、上記固定具を取付ける多孔の取付面を有するケース本体と、該ケース本体に開閉自在に被着する多孔の蓋体とを有し、上記ケース本体と蓋体との対向する内面に、内部に収容した脱臭用炭材と上記内面との間に空隙を形成するためのリブまたは突子が設けられている、
ことを特徴とする請求項１に記載の冷蔵庫用脱臭用具。
【請求項３】
上記ケースが、ケース本体と蓋体とを一側辺の薄肉可撓部を介して可撓性ある合成樹脂により一体に成形され、上記薄肉可撓部においてケース本体と蓋体とを開閉自在にし、他側辺に該ケース本体と蓋体とを係脱させる係脱部を備えている、
ことを特徴とする請求項１または２に記載の冷蔵庫用脱臭用具。
【請求項４】
上記脱臭用炭材が、粉粒状の炭材を板状に圧縮成形することにより形成され、その脱臭用炭材が上記ケース本体と蓋体との対向する内面に設けた突子間に保持されている、
ことを特徴とする請求項２に記載の冷蔵庫用脱臭用具。
【請求項５】
上記脱臭用炭材が、粉粒状の炭材を通気性の袋に収容することにより形成されている、
こと特徴とする請求項２に記載の冷蔵庫用脱臭用具。
【発明の詳細な説明】
【技術分野】
【０００１】
本発明は、冷蔵庫内に配設して該庫内に蓄積する臭いを吸着させるための冷蔵庫用脱臭用具に関するものである。
【背景技術】
【０００２】
従来から、合成樹脂等の多孔のケース内に脱臭用炭材を収容した脱臭用具を用い、それを冷蔵庫内の棚上等に配設するようにした冷蔵庫用脱臭用具はきわめて一般的に知られている。この種の冷蔵庫用の脱臭用具は、一般に冷蔵庫内の棚上等に配設するように構成され、また、厚板状や筒状等に形成して冷蔵庫内に立てて置くようにし、庫内への冷蔵品の収容量を制限しないようにすると同時にケース上に冷蔵品を置きにくくして、ケースに設けた多孔を通して内部の脱臭用炭材ができるだけ庫内の空気の流れに触れるように配慮している。しかし、ケースの周囲に多量の冷蔵品が置かれると、ケースを立てて該ケースに設けた多孔を通して脱臭用炭材ができるだけ庫内の空気の流れに触れるように配慮した構成が無意味になり、十分な脱臭効果を期待することができなくなる。
【０００３】
このような問題に対処し、脱臭用具を冷蔵庫内の棚上に置くのではなく、庫内壁面に取り付け可能にし、しかも、その取付面側も多孔として、その面を冷蔵庫の内壁面から浮かせることにより、通気性を改善して臭気吸着効果を高めるようにしたものが、特許文献１に開示されている。
上記特許文献１に開示のものでは、脱臭剤容器を冷蔵庫内壁面に両面接着テープで接着し、あるいは、脱臭剤容器に設けた吊り下げ用孔をフック等に掛けるようにしているが、冷蔵庫内を観察すると、冷蔵庫内の棚上にある程度の冷蔵品が載置されていても、その上方空間は空いているのが通例であり、しかも、その上方空間の周壁にはスイッチ類や照明機器などの陰に比較的冷蔵品の収容に利用しにくい空間が存在するため、上記特許文献１の構成は、庫内の空き空間を有効に利用して臭気吸着効果を高める点で、有効なものである。
【０００４】
しかしながら、脱臭用具を冷蔵庫の棚上に載置せず、庫内の内壁面上部に取り付ける場合の取付手段について考察すると、一般に庫内壁面は合成樹脂で形成されていて、面強度を高めるために凹凸条を列設したり、段差部を設けている場合が多く、そのような場合には、庫内壁面に比較的大きい取付用の平坦面を確保して脱臭用具のケースを両面接着テープ等で接着することは困難であり、また庫内壁面は合成樹脂製が一般的であるためにマグネットによる吸着もできず、従って、脱臭用具を種々の冷蔵庫に対応させるためには、各種凹凸面に安定的に上記ケースを固定する手段を考慮する必要がある。
【先行技術文献】
【特許文献】
【０００５】
【特許文献１】登録実用新案第３０２１７５７号公報
【発明の概要】
【発明が解決しようとする課題】
【０００６】
本発明の技術的課題は、冷蔵庫内の棚上ではなく、庫内の内壁面上部に脱臭用具を取り付ける場合の取付手段として、合成樹脂製の凹凸条や段差等がある庫内壁面に対して安定的に取り付けることを可能にした冷蔵庫用脱臭用具を提供することにある。
【課題を解決するための手段】
【０００７】
上記課題を解決するために、本発明によれば、脱臭用炭材を収容した板状のケースに、該ケースを冷蔵庫内の側面壁または上面壁に付着させる吸盤または可撓粘着性の接着部材からなる固定具を取り付けたものにおいて、上記板状のケースは、少なくともその表面側及び上記固定具を取り付ける裏面側の取付面を多孔に形成し、上記ケースの取付面に設ける多孔を、固定具としてのゴム弾性材からなる吸盤の脚部を嵌着できる孔によって形成すると共に、それらの孔の間に上記可撓粘着性の接着部材を接着する接着面を形成し、上記固定具には、上記ケースの取付面と冷蔵庫内の取付壁面との間に通気用間隙を形成するスペーサとしての機能を兼備させ、上記ケースの取付面における多孔中の任意の孔に脚部を選択的に嵌着する吸盤、あるいは上記取付面における適宜位置に接着する接着部材からなる固定具の複数によって、上記ケースを冷蔵庫内の壁面へ取り付け可能にしていることを特徴とする冷蔵庫用脱臭用具が提供される。
【０００８】
本発明に係る冷蔵庫用脱臭用具の好ましい実施形態においては、上記多孔のケースが、上記固定具を取付ける多孔の取付面を有するケース本体と、該ケース本体に開閉自在に被着する多孔の蓋体とを有し、上記ケース本体と蓋体との対向する内面に、内部に収容した脱臭用炭材と上記内面との間に空隙を形成するためのリブまたは突子が設けられているものとして構成される。
上記ケースは、ケース本体と蓋体とを一側辺の薄肉可撓部を介して可撓性ある合成樹脂により一体に成形され、上記薄肉可撓部においてケース本体と蓋体とを開閉自在にし、他側辺に該ケース本体と蓋体とを係脱させる係脱部を備えているものとすることができる。
【０００９】
また、本発明に係る冷蔵庫用脱臭用具の好ましい実施形態においては、上記脱臭用炭材が、粉粒状の炭材を板状に圧縮成形することにより形成され、その脱臭用炭材が上記ケース本体と蓋体との対向する内面に設けた突子間に保持されているものとして構成され、あるいは、上記脱臭用炭材が、粉粒状の炭材を通気性の袋に収容されているものとして構成される。
【００１０】
上記構成を有する冷蔵庫用脱臭用具は、ケース本体の取付面における多孔中の任意の孔に選択的に脚部を嵌着する吸盤、あるいは上記取付面における任意位置に選択的に接着する可撓粘着性の接着部材からなる固定具の複数によって、上記ケースを冷蔵庫内の壁面へ取り付け可能にしているので、冷蔵庫の庫内壁面に凹凸条や段差があっても、該庫内壁面に対する固定具の取付位置の選択を広範囲に行うことができるだけでなく、固定具を構成する上記吸盤はゴム弾性材からなり、また可撓粘着性の接着部材も変形可能であることから、例えば、段差を跨ぐような位置であってもケースを安定的に固定することができる。
【発明の効果】
【００１１】
以上に詳述した本発明の冷蔵庫用脱臭用具によれば、冷蔵庫内の棚上ではなく、庫内の内壁面上部に脱臭用具を取り付ける場合の取付手段として、合成樹脂製の凹凸条や段差等がある庫内壁面に対して安定的に取り付けることを可能にした冷蔵庫用脱臭用具を提供することができる。
【図面の簡単な説明】
【００１２】
【図１】本発明に係る冷蔵庫用脱臭用具の第１実施例の外観を示す斜視図である。
【図２】上記実施例の縦断面図である。
【図３】上記実施例の背面図である。
【図４】上記実施例におけるケース本体の内面側の構成を示す正面図である。
【図５】上記実施例の冷蔵庫用脱臭用具のケースを冷蔵庫の庫内壁面に取り付けた状態を例示する側面図である。
【図６】本発明に係る冷蔵庫用脱臭用具の第２実施例の縦断面図である。
【発明を実施するための形態】
【００１３】
図１〜図５は、本発明に係る冷蔵庫用脱臭用具の第１実施例を示している。この冷蔵庫用脱臭用具は、脱臭用炭材６を収容した薄型板状のケース１に、該ケース１を冷蔵庫内の側面壁または上面壁に付着させる吸盤１１または可撓粘着性の接着部材１２（図２，３及び図５）からなる固定具を取り付けるようにしたものである。上記ケース１は、上記固定具を取付ける多孔の取付面７を有するケース本体２と、該ケース本体２に開閉自在に被着する多孔の蓋体３とを有し、少なくともその表面側の蓋体３及び上記固定具を取り付ける裏面側のケース本体２の取付面７を多孔に形成している。なお、板状をなすケース１の周面にも必要に応じて多数の孔を設けることもできる。
【００１４】
上記ケース１は、ケース本体２と蓋体３とを一側辺の薄肉可撓部４を介して可撓性ある合成樹脂により一体に成形し、上記薄肉可撓部４においてケース本体２と蓋体３とを開閉自在にして、他側辺に該ケース本体２と蓋体３とを係脱させる弾性的係脱部５を備えたものであり、そのため、内部に収容した脱臭用炭材６を容易に取り出して再生させ、あるいは、新品と交換することができる。
【００１５】
上記ケース本体２及び蓋体３は、内部に収容した脱臭用炭材６と冷蔵庫内の空気とを効果的に接触させるため、それぞれ多数の孔８，９を設けて通気性を確保している。但し、上記蓋体３の孔９は、単純に通気性を確保するためのものであるのに対し、ケース本体２における多数の孔８は、上記通気性の確保と、ゴム弾性材からなる上記吸盤１１と一体の脚部１１ａを圧入により嵌着できる取付孔を兼用している。従って、上記吸盤１１はケース本体２の取付面７における任意の位置の孔８に取り付けることができ、冷蔵庫内壁面の状況に応じて該吸盤１１の取付位置を広範囲に選択することができる。
【００１６】
また、上記ケース本体２の取付面７には、上述した吸盤１１の取り付けに利用できる多数の孔８を設けると共に、それらの孔８の間に可撓粘着性の接着部材１２を接着できる接着面を形成している。上記接着部材１２は、例えば、ポリウレタン等により可撓性の小板状に形成され、表面が粘着性を有していて接着後に剥離可能であるが、上記ケース１の長期的な接着に適するものである。なお、上記接着部材１２の材質は上記ポリウレタンに限るものではなく、同様な性能を有する各種素材のものを用いることができる。
【００１７】
上記ケース本体２の接着部材１２を貼着する取付面７には、該接着部材１２を貼着できる範囲に上記孔８を備えない複数の貼着指定部７ａを設けたものとすることもできるが、必ずしもその必要はなく、例えば、１〜２個の孔８を含む任意の位置に一つの接着部材１２を貼着するものとしてもよい。なお、それ以上の孔８を含む範囲を一つの接着部材１２を貼着する貼着部分とするのは、接着部材１２の平面積が大きくなって凹凸や段差のある冷蔵庫内面へのケース１の取り付けには適さなくなる。
【００１８】
上記吸盤１１または接着部材１２からなる固定具には、上記ケース本体２の取付面７と冷蔵庫内の取付壁面との間に通気用間隙を形成するスペーサとしての機能を兼備させ、それにより、ケース本体２の取付面７の多数の孔８における空気の流通性を確保しているが、この通気用間隙は、上記吸盤１１を冷蔵庫内壁面に圧接して吸着させた状態での吸着面とケース本体２の取付面７との間の距離と、接着部材１２の厚さとがほぼ等しくなるようにして、それらの吸盤１１及び接着部材１２を併用してケース１を冷蔵庫内壁面に固定しても、ほぼ一定の通気用間隙が形成されるように構成している。
【００１９】
この第１実施例における上記脱臭用炭材６は、粉粒状の炭材を板状に圧縮成形することにより形成されたものであり、特に粉粒状の竹炭を用いて、特開２００５−３０７３９３号に開示されているような手段で板状に圧縮成形したものが望ましい。このように炭材を板状に圧縮成形したものを用いる場合には、上記ケース本体２と蓋体３との相対向する内面に、内部に収容する脱臭用炭材６と上記両内面との間に空隙を形成するための適数の突子１４，１５を対向配置させて設けておき、内部に収容した脱臭用炭材６を、その脱臭用炭材６が上記ケース本体２と蓋体３との対向する突子１４，１５間に保持させるのが望ましい。なお、上記突子１４，１５はリブとして突出させることもできる。また、上記突子１４，１５やリブによって脱臭用炭材６を保持させる場合に、炭材の微粉がケース本体２及び蓋体３の孔８，９から漏出する虞があるときには、該炭材６を通気性のある不織布等で被覆して微粉の漏出を抑制することができる。
【００２０】
前述したように、上記ケース１は、ケース本体２と蓋体３とを一側辺の薄肉可撓部４を介して可撓性ある合成樹脂により一体に成形し、上記薄肉可撓部４においてケース本体２と蓋体３とを開閉自在にして、他側辺に該ケース本体２と蓋体３とを係脱させる係脱部５を備えたものであり、そのため、上記ケース本体２と蓋体３とは容易に開閉し、内部に収容した竹炭等を主材とする脱臭用炭材６を取り出して脱臭効果を再生させ、あるいは該脱臭用炭材６の交換することができる。
【００２１】
上記脱臭用炭材６は、図６の第２実施例に示すように、粉粒状の炭材を通気性の袋６ａに収容したものとして形成することもでき、この場合に、上記袋６ａの可撓性により脱臭用炭材６とケース本体２及び蓋体３の内面との間に通気用間隙を形成することが困難であれば、上記突子１４，１５あるいはリブを設ける密度を高め、あるいは、上記袋の可撓性を抑制する手段を設けることもできる。
なお、図６の第２実施例におけるその他の構成及び作用は、固定具を含めて実質的に第１実施例と変わるところがないので、同一または相当部分に同一の符号を付して、それらの説明を省略する。
【００２２】
上記構成を有する冷蔵庫用脱臭用具においては、上記ケース本体２の取付面７における多孔中の任意の孔８に脚部１１ａを選択的に嵌着する吸盤１１、あるいは、上記取付面７における適切な位置に貼着する可撓粘着性の接着部材１２からなる固定具の複数により、上記ケース１を冷蔵庫内の壁面へ取り付け可能にしているので、図５に例示するように、冷蔵庫の庫内壁面２０に段差２１や凹凸条などがあっても、該庫内壁面２０に対する固定具の取付位置の選択を広範囲に行うことができるだけでなく、固定具を構成する上記吸盤１１はゴム弾性材からなり、また可撓粘着性の接着部材１２も変形可能であることから、例えば、段差２１を跨ぐような位置であっても、ケース１が若干傾斜した状態になるにしても安定的に固定することができる。
【符号の説明】
【００２３】
１    ケース
２    ケース本体
３    蓋体
４    薄肉可撓部
６    脱臭用炭材
７    取付面
８，９    孔
１１    吸盤
１１ａ    脚部
１２    接着部材
１４，１５    突子
【図１】
0005496819.tif 000002
【図２】
0005496819.tif 000003
【図３】
0005496819.tif 000004
【図４】
0005496819.tif 000005
【図５】
0005496819.tif 000006
【図６】
0005496819.tif 000007